(57)【要約】【課題】  エアクリーナ３から過給機２を経て内燃機関１に至る吸気経路に，前記過給機より下流側の部分と前記エアクリーナとの間を前記過給機をバイパスして接続する過給バイパス通路１０を設け，この過給バイパス通路に過給圧制御弁１１を設けて成るものにおいて，前記エアクリーナのキャップケースにおける開閉を容易にする。【解決手段】前記過給バイパス通路のうち前記エアクリーナ側の部分に，前記エアクリーナのキャップケースを開閉する方向に直線的に延びるパイプ体１４を設け，このパイプ体を，前記エアクリーナのキャップケースに内に，当該パイプ体の軸線方向に自在に摺動するように差し込む。【選択図】図１
2009281230.tif 000002
【特許請求の範囲】
【請求項１】
エアクリーナから過給機を経て内燃機関に至る吸気経路に，前記吸気経路のうち前記過給機より下流側の部分と前記エアクリーナとの間を前記過給機をバイパスして接続する過給バイパス通路を設け，この過給バイパス通路に過給圧制御弁を設けて成る過給バイパス装置において，
前記過給バイパス通路のうち前記エアクリーナ側の部分は，前記エアクリーナのキャップケースを開閉する方向に直線的に延びて開口する構成にしたパイプ体に構成され，このパイプ体は，前記エアクリーナのキャップケース内に，当該パイプ体の軸線方向に自在に摺動するように差し込まれていることを特徴とする過給機付き内燃機関における過給バイパス装置。
【請求項２】
前記請求項１の記載において，前記過給圧制御弁は，前記エアクリーナのキャップケースに近接する部分に取付けられ，この過給圧制御弁に，前記パイプ体が設けられている一方，前記過給バイパス通路のうち前記過給圧制御弁から前記吸気経路に至る部分は，軟質弾性体製のホースに構成されていることを特徴とする過給機付き内燃機関における過給バイパス装置。
【発明の詳細な説明】
【技術分野】
【０００１】
本発明は，排気ターボ過給機等の過給機を備えた内燃機関において，エアクリーナから前記過給機を経て内燃機関に至る吸気経路に設けられる過給バイパス装置に関するものである。
【背景技術】
【０００２】
一般に，排気ターボ過給機等の過給機を備えた内燃機関において，エアクリーナから前記過給機を経て内燃機関に至る吸気経路には，前記過給機をバイパスして，その下流側と上流側とを接続する過給バイパス通路を設け，前記過給機より下流側における過給圧が，減速等において所定値よりも高くなると，前記過給バイパス通路中の過給圧制御弁を開いて過給吸気を上流側にブローすることにより，前記過給圧が所定値を越えることがないように制御される。
【０００３】
この場合，従来は，例えば，特許文献１及び２に記載されているように，前記過給バイパス通路による過給機の上流側へのブローを，エアクリーナに対して行うことにより，過給吸気のブローに伴う騒音を低減を図るという構成にしている。
【特許文献１】実公平１−２１１３９号公報
【特許文献１】実開平６−３３６９５８号公報
【発明の開示】
【発明が解決しようとする課題】
【０００４】
前記過給パイパス通路を介してのブローをエアクリーナに対して行うに際し，前記エアクリーナにおけるフィルタエレメントの汚損を回避するためには，前記エアクリーナのうちフィルタエレメント内蔵の本体ケースに対して開閉自在に接合のキャップケースに，前記過給パイパス通路を接続することが好ましい。
【０００５】
しかし，この構成にした場合には，前記キャップケースの開閉作業が，これに接続される前記過給パイパス通路のために著しく妨げられるから，前記フィルタエレメントの交換を容易に行うことができないという問題を招来することになる。
【０００６】
本発明は，この問題を解消することを技術的課題とするものである。
【課題を解決するための手段】
【０００７】
この技術的課題を達成するため本発明の請求項１は，
「エアクリーナから過給機を経て内燃機関に至る吸気経路に，前記吸気経路のうち前記過給機より下流側の部分と前記エアクリーナとの間を前記過給機をバイパスして接続する過給バイパス通路を設け，この過給バイパス通路に過給圧制御弁を設けて成る過給バイパス装置において，
前記過給バイパス通路のうち前記エアクリーナ側の部分は，前記エアクリーナのキャップケースを開閉する方向に直線的に延びて開口する構成にしたパイプ体に構成され，このパイプ体は，前記エアクリーナのキャップケース内に，当該パイプ体の軸線方向に自在に摺動するように差し込まれている。」
ことを特徴としている。
【０００８】
また，本発明の請求項２は，
「前記請求項１の記載において，前記過給圧制御弁は，前記エアクリーナのキャップケースに近接する部分に取付けられ，この過給圧制御弁に，前記パイプ体が設けられている一方，前記過給バイパス通路のうち前記過給圧制御弁から前記吸気経路に至る部分は，軟質弾性体製のホースに構成されている。」
ことを特徴としている。
【発明の効果】
【０００９】
請求項１の記載によると，過給バイパス通路におけるパイプ体を，エアクリーナのうちキャップケースに対して自在に抜き差しでき，ひいては，前記キャップケースを，当該キャップケースに差し込まれた前記パイプ体が自在に抜き差しされながら，前記パイプ体とは無関係に自在に開閉することができるから，前記キャップケースに過給圧のブローを行うものでありながら，前記キャップケースを開閉してのフィルタエレメントの交換作業を容易に行うことができる。
【００１０】
また，請求項２の記載によると，前記した効果に加えて，前記過給圧制御弁を，エアクリーナに対して簡単な構成で支持することができる。
【００１１】
しかも，請求項２の記載によると，前記過給バイパス通路のうち前記パイプ体の長さを短くでき，この短くした分だけ，前記過給バイパス通路のうち前記過給圧制御弁から上流側における軟質弾性体製ホースの長さを長くできるから，前記過給圧のブローの際に発生する騒音を，この長くしたホースにおけるダンピング効果によって確実に低減することができる。
【発明を実施するための最良の形態】
【００１２】
以下，本発明の実施の形態を，図１及び図２の図面について説明する。
【００１３】
この図において，符号１は，内燃機関を，符号２は，前記内燃機関１の排気ガスにて駆動される排気ターボ過給機を，符号３は，エアクリーナを各々示す。
【００１４】
前記エアクリーナ３に大気導入管４より取り入れた空気は，当該エアクリーナ３から吸気通路５を介して前記排気ターボ過給機２に至り，ここで圧縮されたのち過給通路６を介して前記内燃機関１に吸気される。
【００１５】
前記エアクリーナ３は，従来から良く知られているように，前記大気導入管４を備え，且つ，フィルタエレメントを内蔵する本体ケース７と，この本体ケース７に対するキャップケース８との二つ割りに構成されて，前記キャップケース８は，前記本体ケース７に対してクリップ９等にて着脱可能に接合されるというように，前記本体ケース７に対して，上下方向に開閉できる構成になっている。
【００１６】
なお，前記吸気通路５には，その途中に，軟質弾性体製の蛇腹管を設けるか，或いは，軟質弾性体製のホース管を設ける等することにより，前記キャップケース８の自在な開閉を許容するように構成している。
【００１７】
符号１０は，前記排気ターボ過給機２をバイパスして，前記過給通路６と，前記エアクリーナ３とを接続する過給バイパス通路を示し，この過給バイパス通路１０の途中には，前記過給通路６における過給圧が所定値よりも高くなったときに開く過給圧制御弁１１が設けられ，この過給圧制御弁１１は，前記エアクリーナ３の本体ケース７における外側面のうち前記キャップケース８に近接する部分に，ブラケット１２を介して取付けられている。
【００１８】
前記過給バイパス通路１０のうち前記過給圧制御弁１１から前記過給通路６に至る部分，つまり，前記過給圧制御弁１１より上流側の部分は，ゴム等の軟質弾性体製のホース１３にて構成されている。
【００１９】
前記過給バイパス通路１０のうち前記過給圧制御弁１１より下流側の部分は，前記過給圧制御弁１１から上向きに直線的に延びるパイプ体１４にて構成されていて，この直線パイプ体１４の上端には，開口部１４ａを備えている。
【００２０】
一方，前記エアクリーナ３のキャップケース８における側面には，前記過給圧制御弁１１の上方に突出する膨出部１５が設けられ，この膨出部１５の底板１６に穿設した貫通孔１７には，ゴム等の軟質弾性体製のシールリング１８が装着されている。
【００２１】
このシールリング１８内には，前記過給圧制御弁１１から上向きに突出する前記パイプ体１４が，当該パイプ体１４の軸線方向に自在に摺動するように差し込まれており，これにより前記パイプ体１４の開口部１４ａが前記キャップケース８内に連通するように構成している。
【００２２】
なお，前記パイプ体１４の上端外周には，抜け止め用の突起部１４ｂが一体に設けられている。
【００２３】
この構成において，過給バイパス通路１０におけるパイプ体１４は，エアクリーナ３のうちキャップケース８に対して自在に抜き差しできることにより，前記キャップケース８を，当該キャップケース８に差し込まれた前記パイプ体１４が自在に抜き差しされながら，このパイプ体１４とは無関係に自在に開閉することができる。
【００２４】
この場合，前記過給圧制御弁１１を，エアクリーナ３における本体ケース７のうち前記キャップケース８に近接する部分に取付けたことにより，前記過給バイパス通路１０のうち前記パイプ体１４を短くすることができる一方，前記過給バイパス通路１０のうちゴム等の軟質弾性体製のホース１３の長さを，前記パイプ体１４を短くできる分だけ長くすることができる。
【００２５】
なお，前記実施の形態は，過給機として，排気ガスにて駆動される排気ターボ過給機を使用した場合であったが，内燃機関にて駆動される機械式の過給機を使用した場合にも適用できることはいうまでもない。
【００２６】
また，前記過給圧制御弁１１は，エアクリーナ３における本体ケース７に取付けることに限らず，前記本体ケース７以外の部材，例えば，エアクリーナ３の支持ブラケットとか車両における車体フレーム等のうち前記キャップケース８に近接する部分に取付けることができる。
【図面の簡単な説明】
【００２７】
【図１】本発明の実施の形態を示す正面図である。
【図２】図１のII−II視拡大断面図である。
【符号の説明】
【００２８】
１                    内燃機関
２                    排気ターボ過給機
３                    エアクリーナ
５                    吸気通路
６                    過給通路
７                    エアクリーナの本体ケース
８                    エアクリーナのキャップケース
１０                  過給バイパス通路
１１                  過給圧制御弁
１３                  軟質弾性体製ホース
１４                  パイプ体
１６                  膨出部
１７                  貫通孔
１８                  シールリング体
【図１】
2009281230.tif 000003
【図２】
2009281230.tif 000004